(57)【要約】      （修正有）【課題】効率よくコーヒー豆等の豆状物を排出できる豆状物用コンテナを提供する。【解決手段】コーヒー豆用コンテナ１は、下部パレット容器部１００及び上部折り込み容器部５００を有する。下部パレット容器部１００には、下部に排出用開口１４０が形成されるとともに、内部に、収容したコーヒー豆を排出用開口１４０から自動的に排出するための４０°で傾斜したホッパー２００が設置されている。排出用開口１４０の下側となる下部パレット容器部１００のデッキ部１１２は、コーヒー豆が残留しないよう逆Ｖ字のアングル材により形成されており、ホッパー２００の下端両側には、コーヒー豆が排出用開口１４０の端部に残留しないようにコーヒー豆を中央に寄せて排出させるための傾斜板である角傾斜部が設置されている。コーヒー豆用コンテナ１の外側面は、凹凸を無くして塵、埃等が堆積しないようい外表面パネルにより被覆されている。【選択図】図１
0003190831.tif 000002
【実用新案登録請求の範囲】
【請求項１】
パレット部、収容された豆状物を排出する排出用開口、前記排出用開口を開閉する排出用扉及び収容された豆状物を前記排出用開口に案内するホッパーを有し、内部収容空間に所望の豆状物を収容する下部パレット容器部と、
前記下部パレット容器部の上部に設置される下金枠と、
前記下金枠に沿って立設可能かつ前記下金枠の内部に折り込み可能な複数の側板を有し、当該複数の側板が前記立設された場合に前記下部パレット容器部の前記内部収容空間と連通する内部収容空間が形成される上部折り込み容器部と、
前記上部折り込み容器部の上部開口を閉塞する上蓋と
を有する豆状物用コンテナ。
【請求項２】
前記ホッパーは、水平面に対して３０°〜５０°で傾斜する傾斜面により構成されていることを特徴とする請求項１に記載の豆状物用コンテナ。
【請求項３】
前記ホッパーの前記排出用開口の両側の端部近傍に設置され、前記豆状物が当該端部に残留せず排出されるよう前記豆状物を案内する傾斜板をさらに有することを特徴とする請求項１又は２に記載の豆状物用コンテナ。
【請求項４】
前記下部パレット容器部の、前記排出用開口の下側となるデッキ部は、断面逆Ｖ字形状のアングル材により形成されていることを特徴とする請求項１〜３のいずれかに記載の豆状物用コンテナ。
【請求項５】
前記下部パレット容器部、前記下金枠及び上部折り込み容器部の外側面の少なくとも一部を被覆する外表面パネルをさらに有することを特徴とする請求項１〜４のいずれかに記載の豆状物用コンテナ。
【請求項６】
前記豆状物はコーヒー豆でありコーヒー豆用コンテナであることを特徴とする請求項１〜５のいずれかに記載の豆状物用コンテナ。
【考案の詳細な説明】
【技術分野】
【０００１】
本考案は、コーヒー豆、種々の豆類、あるいは豆状の穀類等の豆状物を直接収容し搬送等することのできる豆状物用コンテナに関する。
【背景技術】
【０００２】
粒状あるいは粒状より若干大きく例えば小豆大の大きさを有し、形状が扁平であったり楕円球的であったりするような物質（以下、豆状物と称する。）がある。例えば、食用、加工用の物質としては、コーヒー豆、種々の豆類の物質、あるいは種々の豆状の穀類等が挙げられる。
【０００３】
これらの豆状物を生産者、卸売業者、流通業者あるいは消費者たる店舗等の間で搬送等する場合には、専用の袋に収容されて搬送等される場合が多い。例えば、コーヒー豆であれば麻袋に収容されて流通されることがよく知られている。また、特許文献１に開示されているような合成樹脂製の包装用袋に収容されて搬送等されることも提案されている。
【先行技術文献】
【特許文献】
【０００４】
【特許文献１】特開２００７−３０９５４号公報
【考案の概要】
【考案が解決しようとする課題】
【０００５】
専用の袋によりこのような豆状物を搬送等する場合には、例えば袋から豆状物を別の容器に移して保管したり加工装置や調理装置等に投入したりする際、人手により作業をする場合がほとんどである。しかし、人手によるこのような作業は、作業者にとって過酷な作業であった。また、人手により作業は時間がかかるため、より効率的に豆状物を移したいという要望があった。さらにまた、食材である豆状物を扱う場合には、一層衛生的に取り扱いたいという要望があった。
【０００６】
本考案は前述したような課題に鑑みてなされたものであって、その目的は、コーヒー豆等の豆状物を収容し、保管、搬送等を行うことができる豆状物用コンテナであって、大量の豆状物を収容し搬送等を行うことができるとともに、収容した豆状物の排出に際しては、人手を介さずに自動的に、大量の豆状物を短時間に高速に排出することができ、さらに衛生的に豆状物を取り扱うことのできる豆状物用コンテナを提供することにある。
【課題を解決するための手段】
【０００７】
前記課題を解決するために、本考案の豆状物用コンテナは、パレット部、収容された豆状物を排出する排出用開口、前記排出用開口を開閉する排出用扉及び収容された豆状物を前記排出用開口に案内するホッパーを有し、内部収容空間に所望の豆状物を収容する下部パレット容器部と、前記下部パレット容器部の上部に設置される下金枠と、前記下金枠に沿って立設可能かつ前記下金枠の内部に折り込み可能な複数の側板を有し、当該複数の側板が前記立設された場合に前記下部パレット容器部の前記内部収容空間と連通する内部収容空間が形成される上部折り込み容器部と、前記上部折り込み容器部の上部開口を閉塞する上蓋とを有する。
【０００８】
好適には、本考案の豆状物用コンテナにおいては、前記ホッパーは、水平面に対して３０°〜５０°で傾斜する傾斜面により構成されていることを特徴とする。
【０００９】
また好適には、本考案の豆状物用コンテナは、前記ホッパーの前記排出用開口近傍で当該排出用開口の両側の端部に設置され、前記豆状物が当該端部に残留せず排出されるよう前記豆状物を案内する傾斜板をさらに有することを特徴とする。
【００１０】
また好適には、本考案の豆状物用コンテナにおいては、前記下部パレット容器部の、前記排出用開口の下側となるデッキ部は、断面逆Ｖ字形状のアングル材により形成されていることを特徴とする。
【００１１】
また好適には、本考案の豆状物用コンテナは、前記下部パレット容器部、前記下金枠及び上部折り込み容器部の外側面の少なくとも一部を被覆する外表面パネルをさらに有することを特徴とする。
【００１２】
また好適には、本考案の豆状物用コンテナは、コーヒー豆を収容し搬送等するコーヒー豆用コンテナであることを特徴とする。
【考案の効果】
【００１３】
本考案によれば、コーヒー豆等の豆状物を収容し、保管、搬送等を行うことができる豆状物用コンテナであって、大量の豆状物を収容し搬送等を行うことができるとともに、収容した豆状物の排出に際しては、人手を介さずに自動的に、大量の豆状物を短時間に高速に排出することができ、さらに衛生的に豆状物を取り扱うことのできる豆状物用コンテナを提供することができる。
【図面の簡単な説明】
【００１４】
【図１】図１は、本考案の第１実施形態のコーヒー豆用コンテナの主要構成部の分解斜視図である。
【図２】図２は、図１に示したコーヒー豆用コンテナの主要構成部に外表面パネルを装着した状態を示す斜視図である。
【図３】図３は、図１に示したコーヒー豆用コンテナの内部を説明するための正面方向の透視図である。
【図４】図４は、図１に示したコーヒー豆用コンテナの内部を説明するための側面方向の透視図である。
【図５】図１は、図１に示したコーヒー豆用コンテナの下部パレット容器部のパレット部の排出用開口の下部枠材（デッキ部）の形状を説明するための図であり、図１のＡの箇所における矢示方向の断面図である。
【図６】図６は、図１に示したコーヒー豆用コンテナのホッパーの形態を示す斜視図である。
【図７】図７は、図１に示したコーヒー豆用コンテナの下部パレット容器部の排出用開口に設置された排出用扉、及び、その開閉機構を説明するための模式的な斜視図である。
【図８】図８は、図７に示した排出用扉の開閉状態を説明するための図であって図７のＢの箇所における矢示方向の断面図であり、図８（Ａ）は排出用扉が閉じた状態を示す図であり、図８（Ｂ）はハンドルを操作して排出用扉が開ける状態を示す図であり、図８（Ｃ）は排出用扉が開放状態に維持されている状態を示す図である。
【図９】図９は、図１に示したコーヒー豆用コンテナの上部折り込み容器部の上角部であって、第１の側板と第２の側板との連結部の構成を示す図であり、図９（Ａ）は部分斜視図であり、図９（Ｂ）は、図９（Ａ）のＣの箇所における矢示方向の断面図である。
【図１０】図１０は、図１に示したコーヒー豆用コンテナの上蓋固定部の構成を示す図である。
【考案を実施するための形態】
【００１５】
以下、本考案の豆状物用コンテナの一実施形態について説明する。
本考案においては、コーヒー生豆（以下、単にコーヒー豆と称する。）を直接収容し、卸業者や販売店、食堂等の保管庫や焙煎機（焙煎をするための加熱装置）等に直接導入することのできるコーヒー豆用コンテナを例示して本考案を説明する。
【００１６】
まず、図１〜図４を参照して、コーヒー豆用コンテナ１の全体構成について概略的に説明する。
図１〜図４は、本実施形態のコーヒー豆用コンテナ１の全体構成を示す図であり、図１はコーヒー豆用コンテナ１の主要構成部の分解斜視図であり、図２は外表面パネル７００が装着されたコーヒー豆用コンテナ１を示す分解斜視図であり、図３はコーヒー豆用コンテナ１の内部を説明するための正面方向の透視図であり、図４はコーヒー豆用コンテナ１の内部を説明するための側面方向の透視図である。
【００１７】
コーヒー豆用コンテナ１は、図１に示すように、下部パレット容器部１００の上部に下金枠４００を介して上部折り込み容器部５００が設置された上下２段に分割された形態の本体を有し、この内部に形成される空間（内部収容空間）に収容対象のコーヒー豆を収容する。
【００１８】
下部パレット容器部１００の一方の側面の下部には、収容したコーヒー豆を排出するための排出用開口１４０が形成されており、この排出用開口１４０には、開閉自在に排出用扉３００が設置されている。
【００１９】
下部パレット容器部１００の内部には、コーヒー豆用コンテナ１の内部収容空間の底面をなすとともに排出用開口１４０に向けて下方に傾斜したホッパー２００が設置されている。コーヒー豆用コンテナ１の内部収容空間に収容されたコーヒー豆は、ホッパー２００により排出用開口１４０方向に案内され、排出用扉３００が開放状態の場合には排出用開口１４０から外部に排出される。
【００２０】
上部折り込み容器部５００の上部開口（コーヒー豆用コンテナ１の内部収容空間の上部開口）は上蓋６００により閉塞され、また、図２に示すように、コーヒー豆用コンテナ１外側面、すなわち、下部パレット容器部１００、下金枠４００及び上部折り込み容器部５００の外側面は、表面の凹凸を少なくし、埃、塵等の堆積を少なくするように、外表面パネル７００により被覆されている。
コーヒー豆用コンテナ１は、概略的にはこのような構成である。
【００２１】
以下、さらに図５〜図１０を参照して、コーヒー豆用コンテナ１の各部の構成について詳細に説明する。
上述したように、コーヒー豆用コンテナ１は、主な構成部として、下部パレット容器部１００、下金枠４００、上部折り込み容器部５００、上蓋６００及び外表面パネル７００を有する。また、下部パレット容器部１００は、一側面の下部に排出用開口１４０が形成されているとともに、ホッパー２００及び排出用扉３００を有する。
【００２２】
下部パレット容器部１００は、コーヒー豆用コンテナ１の下部を構成する箱状の部材である。下部パレット容器部１００は、図１及び図２に示すように、ステンレス製の角材を溶接により連結した箱状の枠組構造に対して、同じくステンレス製のホッパー２００及び側面板１３０を同じく溶接により設置し、さらに、排出用扉３００等の部材が設置された構造である。
【００２３】
下部パレット容器部１００は、最下部のパレット部１１０、及び、パレット部１１０の上部に形成されるコンテナ部１２０を有する。
【００２４】
パレット部１１０は、コーヒー豆用コンテナ１の搬送台となる扁平な直方体形状の基台部分である。パレット部１１０の側面にはリフト用孔１１１が形成されており、これにフォークリフトの爪部が差し込まれることによりコーヒー豆用コンテナ１は、フォークリフトに支持されて持ち上げられ、車両、船舶、航空機等の輸送手段に対する積み込みや積み下ろし、あるいは倉庫等の保管手段に対する搬入や搬出等が行われる。
【００２５】
パレット部１１０において、排出用開口１４０の下側に配置されるパレット部１１０の下部枠材（デッキ部）１１２は、図５に示すように、逆Ｖ字型のアングル材で形成されている。排出用開口１４０の下側となるパレット部１１０のこのような枠材部分（デッキ部）にはコーヒー豆を排出する際にコーヒー豆が残留することがあるが、下部枠材１１２の上面をこのような傾斜のついた面とすることにより、コーヒー豆のこの部分への残留を防ぐことができる。
【００２６】
コンテナ部１２０は、収容対象のコーヒー豆を収容する容器部分である。
コンテナ部１２０には、一方の側面の下部に、収容対象のコーヒー豆を排出するための排出用開口１４０が形成されている。排出用開口１４０は、下部パレット容器部１００を形成する部材が全く形成されておらず、すなわち補強材等が配置されておらず、その側面の幅（水平方向）いっぱいに何ら障害物なく開いた開口に形成される。この排出用開口１４０には、後述する排出用扉３００が開閉自在に設置される。
【００２７】
コンテナ部１２０の内部には、コーヒー豆用コンテナ１の内部収容空間の底面を形成する図６に示すようなホッパー２００が設置されている。ホッパー２００は、排出用扉３００が開放状態となった時には排出用開口１４０からコーヒー豆が排出されるように、排出用開口１４０に向かって下方に傾斜した平板状部材である。図４に示すように、ホッパー２００は、下部パレット容器部１００の排出用開口１４０が形成されている側面に対向する側面から、排出用開口１４０が形成されている側面に向かって下方向に傾斜するように設置される。
【００２８】
ホッパー２００の傾斜角度は、排出用扉３００を開放した場合に内容物が全て自動的に排出されるように、収容対象の内容物に応じて、たとえばその内容物のいわゆる安息角を参考に適宜設定するのが好ましい。ホッパー２００の傾斜角度は、好ましくは、水平面に対し３０°〜５０°、より好ましくは略４０°である。コーヒー豆を収容対象とする本実施形態のコーヒー豆用コンテナ１においては、ホッパー２００は水平方向に対して４０°の傾斜をもって設置される。
【００２９】
ホッパー２００は、図３に示すように、下面の補強材２１０と一体化されてコンテナ部１２０に設置されており、大量のコーヒー豆をコーヒー豆用コンテナ１に収容したとしてもその重量を支持可能なように補強されている。
【００３０】
ホッパー２００の下部の隅部は、コーヒー豆が滞留し易く排出が難しい。そこで、ホッパー２００の下部の隅部には、図６に示すように、コーヒー豆を中央方向に案内して容易に排出できるように、コーヒー豆を中央方向に案内する小さな傾斜板（角傾斜部）２２０を取り付け、コーヒー豆排出の補助としている。
【００３１】
また、コンテナ部１２０の内部であって、ホッパー２００より上側となる位置には、排出用開口１４０の箇所を除いて、図１に示すように、内側に、側面板１３０が設置される。すなわち、排出用開口１４０が形成される側面およびこれに対向する側面には長方形上の側面板１３０が、また、排出用開口１４０が形成される側面に隣接する側面にはホッパー２００の傾斜に沿った下辺を有する略直角三角形の側面板１３０が、各々設置されることとなる。
【００３２】
側面板１３０は、ステンレス製の板であって、溶接により、下部パレット容器部１００の枠組を形成するステンレス製角材に、またはホッパー２００に、あるいは側面板１３０相互に、溶接される。このように側面板１３０を設置することにより、コーヒー豆用コンテナ１には、側面板１３０及びホッパー２００により周囲を閉塞され、下部の排出用開口１４０及び上部のみが開口したコーヒー豆の収容空間が形成される。
【００３３】
下部パレット容器部１００の排出用開口１４０には、図１に示すように、排出用開口１４０を開閉する排出用扉３００が設置される。
排出用扉３００は、図７に示すように、その上縁３０１が蝶番３０３により下部パレット容器部１００の排出用開口１４０の上縁１４１に設置されている。排出用扉３００は、上縁３０１を回転軸としてコーヒー豆用コンテナ１の外側を経由して上下に回動可能となっており、下に回動された時には排出用開口１４０を閉塞した状態となり、上に回動された時には排出用開口１４０を開放した状態となる。
【００３４】
排出用扉３００の下部には、パイプ保持部３１０に回動自在に保持されたパイプ３２０が設置されている。パイプ３２０は、排出用扉３００の下縁方向（横方向）と平行に延伸するように排出用扉３００に配置されている。また、パイプ３２０は、排出用扉３００の横幅より若干長い長さを有しており、両端部が各々排出用扉３００の側縁より突出するように設置されている。なお、パイプ３２０は、ステンレス製である。
【００３５】
パイプ３２０の両端の排出用扉３００より突出した位置には、パイプ３２０と一体的に回動可能なパイプ固定ガイド３４０が装着されている。パイプ固定ガイド３４０は、パイプ３２０と略同じ厚みを有する直方体の部材であって、図７及び図８に示すように、パイプ３２０から、パイプ３２０の径方向において一方向のみに突出するように設置されている。
【００３６】
下部パレット容器部１００の排出用開口１４０の排出用開口１４０の下縁のすぐ外側の位置、すなわちパイプ固定ガイド３４０が配置される位置には、上方向に突出した薄板形状のストッパー３５０が設置されている。ストッパー３５０は、薄板形状の部材であって、パレット容器部１００の周面との間にパイプ３２０の太さ（直径）より若干大きい程度の間隔を離して設置されている。ストッパー３５０は、排出用扉３００が回動される場合に、パイプ３２０には干渉しないが、パイプ固定ガイド３４０がパイプ３２０から下方向に突出するように配置された場合には、パイプ固定ガイド３４０のその突出した部分については干渉するように、その高さが設定されている。
【００３７】
したがって、排出用扉３００の高さ方向において（蝶番３０３側が上方向でパイプ３２０側が下方向とした場合に）、図８（Ｂ）に示すようにパイプ３２０が回動されて、パイプ固定ガイド３４０がパイプ３２０よりも上方向に配置された場合には、パイプ固定ガイド３４０はストッパー３５０と干渉しない状態となり、排出用扉３００は回動自在な状態となる。
【００３８】
一方で、図８（Ａ）に示すように、排出用扉３００が排出用開口１４０を閉塞した状態でパイプ３２０が回動されてパイプ固定ガイド３４０がパイプ３２０よりも下方向に配置された場合には、パイプ固定ガイド３４０は下部パレット容器部１００外側面とストッパー３５０との間に配置されることとなり、ストッパー３５０はパイプ固定ガイド３４０と干渉して移動不能となる。その結果、排出用扉３００は回動不能となり、排出用扉３００は、排出用開口１４０を閉塞した状態に維持されることとなる。
【００３９】
パイプ３２０の両端に設けられたパイプ固定ガイド３４０は、下部パレット容器部１００に設けられたストッパー３５０に対してこのように干渉状態（係止状態）あるいは非干渉状態（非係止状態）とされ、これにより、排出用扉３００は、図８（Ａ）に示すように排出用開口１４０を閉塞した状態を保持する状態、あるいは、図８（Ｂ）に示すように排出用開口１４０を開放するように回動可能な状態とされる。
【００４０】
パイプ３２０を上述のように回動させるために、図７に示すように、パイプ３２０には、中ほどに、ハンドル３３０が設けられている。ハンドル３３０は、パイプ３２０の周方向において、パイプ固定ガイド３４０が突出した位置とは反対側の位置から径方向に延伸し、パイプ３２０と一体的に回動可能に設置される。
【００４１】
ハンドル３３０は、帯状部材を図示のごとく適当に屈曲させて形成された部材である。ハンドル３３０のパイプ３２０と接続されていない側の端部近くには、図８（Ａ）〜図８（Ｃ）に示すように、閉塞時係止孔３３２が形成された板状突出部３３１が形成されており、また、その最端部には、図１及び図７に示すように、開放時係止孔３３５が形成されている。なお、ハンドル３３０はステンレス製である。
【００４２】
このような構成において、ハンドル３３０は、排出用扉３００が排出用開口１４０を閉塞する時には、図８（Ａ）に示すように、排出用扉３００が排出用開口１４０を閉塞した位置で上側に回動させる。その結果、パイプ固定ガイド３４０はストッパー３５０と干渉する位置に回動され、排出用扉３００は排出用開口１４０を閉塞した位置から移動不能な状態となる。そしてこの状態で、図７及び図８（Ａ）に示すように、ハンドル３３０の板状突出部３３１の閉塞時係止孔３３２に、下部パレット容器部１００の外面に設置された丸落とし金具３６０のスピンドル３６１の先端を嵌挿する。その結果、ハンドル３３０は回動不能となり、その結果、パイプ３２０及びパイプ固定ガイド３４０も回動不能となり、排出用扉３００は排出用開口１４０を閉塞した状態に維持される。
【００４３】
排出用開口１４０を開放する時には、丸落とし金具３６０のスピンドル３６１をハンドル３３０の板状突出部３３１の閉塞時係止孔３３２から抜き取る。その結果、スピンドル３６１と閉塞時係止孔３３２の干渉状態が解除され、ハンドル３３０は回動可能となる。そして、ハンドル３３０を、図８（Ｂ）に示すように下方向に回動させることにより、パイプ固定ガイド３４０のストッパー３５０との干渉は解除され、排出用扉３００は回動可能となり、排出用開口１４０を開放することが可能となる。
【００４４】
排出用開口１４０を開放状態に維持する場合には、排出用扉３００をそのまま上方向に回動させ、さらにハンドル３３０を上方向に引っ張り、図８（Ｃ）に示すように、ハンドル３３０の開放時係止孔３３５を下部パレット容器部１００の外面の上部に設置されているハンドル端係止フック３１５に係止する。その結果、排出用扉３００はハンドル３３０により吊り上げられた状態に維持されることとなり、排出用開口１４０の開放状態は維持される。
【００４５】
このような構成の下部パレット容器部１００の上に、下金枠４００を介して上部折り込み容器部５００が構成される。
【００４６】
下金枠４００は、下部パレット容器部１００の上縁に沿って設置される部材であって、上部折り込み容器部５００の側板（第１の側板（棲板）５１０及び第２の側板（側板）５３０）の位置を規定するとともに、これらを立設あるいは折り込むための支持部材である。
【００４７】
下金枠４００は、第１の側板５１０が立設される位置に沿って設置される第１の枠部４１０と、第２の側板５３０が立設される位置に沿って設置される第２の枠部４３０とを有する。
第１の枠部４１０及び第２の枠部４３０は、各々２枚の第１の側板５１０及び第２の側板５３０を内側に折り込んだ時の高さ、すなわち、側板４枚分の板厚に相当する高さを有する。なお、下枠２００の材質は、ステンレスである。
【００４８】
第１の枠部４１０の両端部には、図１に示すように、第２の側板５３０の下縁両端部に突出する回転用軸５３１が落とし込まれる溝４１１が形成されている。溝４１１は、図示のごとく、第１の枠部４１０の板面からさらに外方向に突出するように形成されている。
【００４９】
第２の枠部４３０の内側には、図１に示すように、第２の側板５３０が載置される段差部４３２が設けられている。第２の側板５３０の高さは、第１の側板５１０の高さよりも短い。しかし、第２の側板５３０が第２の枠部４３０に沿って立設される時、第２の側板５３０はこの段差部４３２上に載置されるため、第１の側板５１０と第２の側板５３０の上縁の高さは等しい高さとなる。なお、段差部４３２の高さ及び第１の側板５１０と第２の側板５３０との高さ（の差）は、このような構成になるように決定される。
【００５０】
また、図示しないが、第２の枠部４３０の両端部の段差部４３２の両側には、第１の側板５１０の下縁両端部に突出する回転用軸５１１が落とし込まれる溝が形成されている。換言すれば、第２の枠部４３０の両側において第２の枠部４３０に各々隣接する第１の枠部４１０の内側面と段差部４３２の端部との間には、各々間隙が設けられており、これが、第１の側板５１０の回転用軸５１１が落とし込まれる溝に形成されている。第１の側板５１０を第１の枠部４１０に沿って立設する場合には、この溝に第１の側板５１０の回転用軸５１１が落とし込まれる。
【００５１】
第２の枠部４３０の両側の端部近傍の内側上部には、図１に示すように、第２の側板５３０が第２の枠部４３０に沿って立設された時に第２の側板５３０に形成された上がり防止穴５３３に嵌挿するための上がり防止ピン４３３が形成されている。上がり防止ピン４３３は、第２の側板５３０が第２の枠部４３０に沿って立設された時に第２の側板５３０の上がり防止穴５３３が配置される位置に対応する位置に形成される。第２の側板５３０が上がり防止穴５３３に上がり防止ピン４３３を挿入されて第２の枠部４３０に沿って立設されることにより、第２の側板５３０は、第２の枠部４３０に対して上方向に抜けない状態とされる。
【００５２】
上部折り込み容器部５００は、このような構成の下金枠４００の上に形成される。上部折り込み容器部５００は、上述したように、一対の側板５１０及び一対の第２の側板５３０を有する。これら４枚の側板が下金枠４００に沿って立設されることにより、下金枠４００の上部に、換言すれば下部パレット容器部１００の上部に、下部パレット容器部１００の内部収容空間と一体的に連通する収容空間が形成される。
【００５３】
一対の第１の側板５１０は、下金枠４００の第１の枠部４１０上に相互に対向するように配置され、一対の第２の側板５３０は、下金枠４００の第２の枠部４３０上に同じく相互に対向するように、また、第１の側板５１０の両側端を連結するように配置される。
【００５４】
第１の側板５１０及び第２の側板５２０は、各々、ステンレス製の角材を用いた外枠、及び、ステンレス製の角材あるいは断面Ｕ字状の部材を用いた補強部材等により形成された枠部材に、同じくステンレス製の平板状部材を溶接等により接合した構成である。
【００５５】
第１の側板５１０は、その下縁両側に、下縁を延長する方向に突出した回転用軸５１１を有する。回転用軸５１１は、隣接する第２の側板５３０の厚みとほぼ同じ程度の長さに形成される。
【００５６】
第１の側板５１０を下金枠４００の第１の枠部４１０に沿って設置する時は、回転用軸５１１を含む第１の側板５１０の下縁部分を、第１の枠部４１０に沿って、第１の枠部４１０の両側において各々接続される第２の枠部４３０の間に配置する。この時、第１の側板５１０の回転用軸５１１は、前述したように、第２の枠部４３０の段差部４３２の端部と第１の枠部４１０の内面との間の溝に落とし込まれることとなる。その結果、第１の側板５１０は、下縁の位置を回転軸として回動可能な状態となり、また、その水平面での位置は第１の枠部４１０に沿った位置に規定されることとなる。そしてこれにより第１の側板５１０は、その下縁及び回転用軸５１１を回動軸として回動され、第１の枠部４１０に沿って立設された状態、あるいは、下部パレット容器部１００の上部に折り込まれた（寝かされた）状態とされる。
【００５７】
第１の側板５１０の外面の上部両側には、ラッチ錠５２０が設置されている。ラッチ錠５２０は、図９（Ａ）及び図９（Ｂ）に示すように、スピンドル５２１を水平方向外側に出し入れ可能な形態で設置されており、第１の側板５１０及び第２の側板５３０が立設された状態においてスピンドル５２１を水平方向外側に突出させることにより、スピンドル５２１が、隣接する第２の側板５３０の係合プレート５４０のスピンドル係合孔５４３に嵌挿されるようになっている。これにより、第１の側板５１０と第２の側板５３０とは、各々、内側方向あるは外側方向に傾倒不能な状態となるとともに、第１の側板５１０と第２の側板５３０とは上下方向に相対的に移動不能に一体化される。
【００５８】
また、ラッチ錠５２０のスピンドル５２１を引き込んだ状態では、スピンドル５２１と第２の側板５３０の係合プレート５４０のスピンドル係合孔５４３との係合状態は解除され、第１の側板５１０は内側方向へ傾倒可能な状態となる。また、第１の側板５１０が傾倒した後には、第２の側板５３０も内側方向へ傾倒可能な状態となる。また、第１の側板５１０は、第１の側板５１０の回転用軸５１１と第２の側板５３０の下縁との間隔の範囲で、第２の側板５３０に対して相対的に上下方向に移動可能な状態となる。
【００５９】
また、第１の側板５１０の外面上部中央付近には、コーヒー豆用コンテナ１を封印する際に利用する封印用金具５２５が設置されている。コーヒー豆用コンテナ１においては、後述する上蓋６００の対応する位置にも封印用金具６２５が設けられており、これら上部折り込み容器部５００の封印用金具５２５と上蓋６００の封印用金具６２５とを連結するように封印部材を装着することにより、コーヒー豆用コンテナ１の内部収容空間の封印がが可能な構成となっており、タンパエビデンスが維持される。
【００６０】
第２の側板５３０は、その下縁両側に、下縁を延長する方向に突出した回転用軸５３１を有する。第２の側板５３０を下金枠４００の第２の枠部４３０に沿った位置に取り付ける時には、この回転用軸５３１を第１の枠部４１０の両側に形成された溝４１１に落とし込む。これにより第２の側板５３０は、その下縁の水平方向の位置が第２の枠部４３０に沿った位置に保持される。前述したように、第２の側板５３０の下縁は第２の枠部４３０の段差部４３２上に載置された状態となっており、これにより第２の側板５３０は、その下縁及び回転用軸５３１を回動軸として回動され、第２の枠部４３０に沿って立設された状態、あるいは、下部パレット容器部１００の上部に折り込まれた（寝かされた）状態とされる。
【００６１】
また、上述したように、第２の側板５３０の両縁下部には、図１に示すように、上がり防止穴５３３が形成されている。上がり防止穴５３３は、第２の側板５３０が第２の枠部４３０に沿って立設された時に第２の枠部４３０に形成された上がり防止ピン４３３が挿入されて通過されるための穴である。すなわち、上がり防止穴５３３は、第２の側板５３０が第２の枠部４３０に沿って立設された時の上がり防止ピン４３３に対応する位置に形成されており、第２の側板５３０が上がり防止穴５３３に上がり防止ピン４３３を挿入されて第２の枠部４３０に沿って立設されることにより、第２の側板５３０は、第２の枠部４３０に対して上方向に抜けない状態とされる。
【００６２】
第２の側板５３０の左右両方の側縁部には、図９に示すように、第１の側板５１０と係合するための係合プレート５４０が形成されている。係合プレート５４０は、第２の側板５３０の左右両側の周縁部から板面に垂直に内側方向（第１の側板５１０方向）に伸びた薄板状の部分である。第１の側板５１０及び第２の側板５３０が下金枠４００に沿って立設される場合、第２の側板５３０の係合プレート５４０に、隣接する第１の側板５１０が密接に配置される。その結果、第１の側板５１０の外側への回動が防止される。
【００６３】
係合プレート５４０の上部の、第１の側板５１０方向へ突出した板状部分の端部には、スピンドル係合孔５４３が形成されたスピンドル係合孔形成プレート５４２が形成されている。このスピンドル係合孔５４３には、上述したように、第１の側板５１０の上部両側に設置されたラッチ錠５２０のスピンドル５２１が嵌挿されるようになっている。スピンドル係合孔５４３にラッチ錠５２０のスピンドル５２１が嵌挿されることにより、上述したように、第１の側板５１０と第２の側板５３０とが、一体化された状態に、あるいは、一体化が解除され各々下部パレット容器部１００上に傾倒可能な状態にされる。
【００６４】
また、第１の側板５１０及び第２の側板５３０の上部中央付近には、上蓋６００の上蓋側係留孔部材６５１とともに上蓋固定部６５０を形成し、上蓋側係留孔部材６５１と係合しこれを保持することにより上蓋６００を上部折り込み容器部５００上に保持する側板側係留部材６５３が設置されている。
【００６５】
このような構成の上部折り込み容器部５００においては、第１の側板５１０を下金枠４００の第１の枠部４１０に沿って設置し、その後、第２の側板５３０を、前述したように回転用軸５３１を第１の枠部４１０の溝４１１に落とし込むことにより、第１の側板５１０及びラッチ錠５２０を下金枠４００に対して設置する。この時、第１の側板５１０の回転用軸５１１の上に、第２の側板５３０が配置されることとなる。
【００６６】
そして、上部折り込み容器部５００を組み立てる場合には、まず、一対の第２の側板５３０を引き起こし、第２の枠部４３０上に立設する。この際、上がり防止穴５３３に第２の枠部４３０に形成されている上がり防止ピン４３３を嵌挿させることにより、下金枠４００は上方向に引き抜き不能となる。
【００６７】
次に、一対の第１の側板５１０を引き起こし、第１の側板５１０の両側外面が第２の側板５３０の係合プレート５４０に当節するまで移動させる。このような状態になったら、ラッチ錠５２０のスピンドル５２１を突出させ、先端が第２の側板５３０の係合プレート５４０のスピンドル係合孔形成プレート５４２のスピンドル係合孔５４３に嵌挿されるようにする。その結果、第１の側板５１０と第２の側板５３０とは、ともに傾倒不能となるとともに下金枠４００に対して引き抜き不能となり、下金枠４００の上部に、下金枠４００と一体に上部折り込み容器部５００が形成された状態となる。
【００６８】
また、上部折り込み容器部５００を折り込む（折り畳む）場合には、ラッチ錠５２０を操作してスピンドル５２１を第２の側板５３０の係合プレート５４０のスピンドル係合孔５４３から引き抜くことにより、第１の側板５１０は内側に傾倒可能となり、第１の側板５１０が傾倒した後は第２の側板５３０も内側に傾倒可能となり、上部折り込み容器部５００は下金枠４００の上部に折り込まれた状態とされる。
【００６９】
また、第１の側板５１０が傾倒された後、第２の側板５３０を若干内側に傾倒し上がり防止穴５３３と第２の枠部４３０の上がり防止ピン４３３との係合状態を解除すると、第２の側板５３０は上方向へ引き抜き可能な状態となる。また、一対の第２の側板５３０がともに引き抜かれた後は、第１の側板５１０も上方向へ引き抜き可能な状態となる。第１の側板５１０及び第２の側板５３０をコーヒー豆用コンテナ１の本体（下金枠４００）から分離したい場合には、このような操作を行いこれらを引き抜くことができる。
【００７０】
上蓋６００は、下部パレット容器部１００の内部収容空間の上部開放を閉塞する蓋である。
上蓋６００は、上部折り込み容器部５００が組み立てられている場合には、下金枠４００上に立設された４枚の側板により形成される収容空間の上部開口を閉塞する。
また、上部折り込み容器部５００が折り込まれている場合、すなわち４枚の側板が内側に傾倒されて重ね合わせられて下金枠４００の内側に収容されている場合には、下金枠４００の上縁で規定される上部開口を閉塞する。
【００７１】
上蓋６００は、収容したコーヒー豆のサンプリングができるように２枚割れの構成となっている。すなわち、上蓋６００は、主板部分６１０と小板部分６２０とが蝶番６３０により連結された構成であり、小板部分６２０のみを開閉できる構成とされている。
【００７２】
上蓋６００の上面四隅付近には、コーヒー豆用コンテナ１の上に段積みされる別のコーヒー豆用コンテナの底部に係合し、そのコーヒー豆用コンテナの横ずれを防止するためのズレ防止凸部６４０が形成されている。
【００７３】
また、上蓋６００の４つの辺縁の各中央部付近には、前述したように、上部折り込み容器部５００の側板側係留部材６５３とともに上蓋固定部６５０を構成する上蓋側係留孔部材６５１が装着されている。図１０に示すように、各上蓋側係留孔部材６５１は、一方が上蓋６００に固着され、他方はフック状の部材が係合可能な係合孔６５２に形成されている帯状の部材である。上蓋６００をコーヒー豆用コンテナ１の上部に設置した場合には、この上蓋側係留孔部材６５１を上部折り込み容器部５００の外面に沿って引っ張り、上部折り込み容器部５００の外面に設置された側板側係留部材６５３を上蓋側係留孔部材６５１の係合穴６５２に引っ掛けて、上蓋側係留孔部材６５１により保持された状態とする。上蓋６００の４つの周縁の全てにおいてこのように上蓋固定部６５０を係留することにより、上蓋６００は上部折り込み容器部５００の上部に開放不能に設置された状態となる。
なお、上蓋６００を開ける場合には、側板側係留部材６５３を操作し、上蓋側係留孔部材６５１の係合状態を解除すればよい。
【００７４】
また、上蓋６００の辺縁には、封印用金具６２５が設置されている。前述したように、コーヒー豆用コンテナ１においては上部折り込み容器部５００の外面の対応する位置にも封印用金具５２５が設置されており、これら上部折り込み容器部５００の封印用金具５２５と上蓋６００の封印用金具６２５とを連結するように封印部材を装着することにより、コーヒー豆用コンテナ１の内部収容空間が封印され、タンパエビデンスが維持される。なお、上蓋６００の封印用金具５２５及び上部折り込み容器部５００の封印用金具５２５は、必要に応じて任意の位置に、任意の数設置してよい。
【００７５】
外表面パネル７００は、図２に示すように、コーヒー豆用コンテナ１外側面、すなわち、下部パレット容器部１００、下金枠４００及び上部折り込み容器部５００の外側面を被覆する薄板部材である。外表面パネル７００は、コーヒー豆用コンテナ１の外側面の表面の凹凸を少なくし、埃、塵等の堆積を少なくし、その結果、食品であるコーヒー豆等を衛生上好ましい形態で搬送等できるように、コーヒー豆用コンテナ１の外面を被覆するものである。本考案においては、外表面パネル７００も、ステンレス製の薄板により形成されている。
【００７６】
このような構成のコーヒー豆用コンテナ１においては、下部パレット容器部１００及び上部折り込み容器部５００という上下二段の収容部により、大量のコーヒー豆を収容し、搬送等することができる。
また、下部パレット容器部１００には、最下部に排出用開口１４０が形成され、また、内部収容空間の底面にはホッパー２００が設置されているので、排出用扉３００が開放された時には、収容した大量のコーヒー豆を人手を介することなく自動的に排出することができる。
【００７７】
特に、ホッパー２００は、コーヒー豆の安息角を考慮して４０°の角度で傾斜されているため、排出用扉３００が開放された時には収容されているコーヒー豆を完全に自動的に排出することができる。従って、コーヒー豆の排出を簡単に高速に、すなわち効率よく行うことができる。
【００７８】
また、下部パレット容器部１００に形成された排出用開口１４０は、コーヒー豆用コンテナ１の側面方向いっぱいに、何ら支柱等の障害物無しに形成されている。従って、この点においても、排出用開口１４０からのコーヒー豆の排出を、高速、すなわち短時間で行うことができ、コーヒー豆の排出を一層効率よく行うことができる。
【００７９】
さらにまた、ホッパー２００の下部隅部には角傾斜部（傾斜板）２２０が形成されており、隅のコーヒー豆は内側に案内されるような形状となっている。従って、コーヒー豆の排出が一層スムーズで容易となり、排出用開口１４０の隅部にコーヒー豆が滞留し排出できなくなることを防ぐことができ、この点においてもコーヒー豆の排出を一層効率よく行うことができる。
【００８０】
また、コーヒー豆用コンテナ１においては、排出用開口１４０下側に配置されるパレット部１１０の下部枠材（デッキ部）１１２を図５に示すような逆Ｖ字型のアングル材で形成しているため、この枠材部分にコーヒー豆が残留することを防ぐことができ、この点においてもコーヒー豆の排出を一層効率よく行うことができる。
【００８１】
また、コーヒー豆用コンテナ１においては、外側面、すなわち、下部パレット容器部１００、下金枠４００及び上部折り込み容器部５００の外側面を外表面パネル７００により被覆しており、これにより外側面の表面の凹凸を少なくし、埃、塵等の堆積を少なくなるようにしている。従って、食品であるコーヒー豆を適切な衛生状態で搬送等できる。
また、コーヒー豆用コンテナ１は、略全ての部材がステンレス製である。従って、この点においても、コーヒー豆等の食品を、適切な衛生管理の下で搬送等することができる。
【００８２】
なお、本考案は、上述した実施形態に限定されるものではなく、本考案の範囲内で種々に改変することができる。
【００８３】
例えば、上述した実施形態ではコーヒー豆を収容するコーヒー豆用コンテナを例示したが、本考案に係る豆状物用コンテナは、小麦、大豆等を含む任意の豆状物を収容し搬送等することができる。
また、コーヒー豆用コンテナにおいてホッパーの角度は４０°としたが、これはコーヒー豆の安息角に基づいたものであって、収容物が変われば、このホッパーの角度は適宜変更してよい。
【符号の説明】
【００８４】
１…コーヒー豆用コンテナ
１００…下部パレット容器部
１１０…パレット部
１１１…リフト用孔
１１２…排出用開口の下部枠材（デッキ部）
１２０…コンテナ部
１３０…側面板
１４０…排出用開口
１４１…上縁
２００…ホッパー
２１０…補強材
２２０…角傾斜部
３００…排出用扉
３０１…上縁
３０３…蝶番
３１０…パイプ保持部
３１５…ハンドル端係止フック
３２０…パイプ
３３０…ハンドル
３３１…板状突出部
３３２…閉塞時係止孔
３３５…開放時係止孔
３４０…パイプ固定ガイド
３５０…ストッパー
３６０…丸落とし金具
３６１…スピンドル
４００…下金枠
４１０…第１の枠部
４１１…溝
４３０…第２の枠部
４３２…段差部
４３３…上がり防止ピン
５００…上部折り込み容器部
５１０…第１の側板（棲板）
５１１…回転用軸
５２０…ラッチ錠
５２１…スピンドル
５２５…封印用金具
５３０…第２の側板（側板）
５３１…回転用軸
５３３…上がり防止穴
５４０…係合プレート
５４２…スピンドル係合孔形成プレート
５４３…スピンドル係合孔
６００…上蓋
６１０…主板部分
６２０…小板部分
６２５…封印用金具
６３０…蝶番
６４０…ズレ防止凸部
６５０…上蓋固定部
６５１…上蓋側係留孔部材
６５２…係合孔
６５３…側板側係留部材
７００…外表面パネル
【図１】
0003190831.tif 000003
【図２】
0003190831.tif 000004
【図３】
0003190831.tif 000005
【図４】
0003190831.tif 000006
【図５】
0003190831.tif 000007
【図６】
0003190831.tif 000008
【図７】
0003190831.tif 000009
【図８】
0003190831.tif 000010
【図９】
0003190831.tif 000011
【図１０】
0003190831.tif 000012